【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
健康管理プロモーションイベントを容易にするための方法であって、
コンピュータが、複数の健康管理専門家から選択されるある健康管理専門家に対して、複数の予め規定される健康管理プロモーションイベントから選択されるある健康管理プロモーションイベントに参加するよう、招待を表現するデータを送信するステップを備え、健康管理プロモーションイベントに参加することは、予め記録された健康管理プロモーションビデオを見ること、および健康管理プロモーションイベントホストとのライブ通信に参加することを備え、前記方法はさらに、
コンピュータが、前記健康管理プロモーションイベントに参加するという前記健康管理専門家の意思の確認を受信するステップと、
前記予め記録された健康管理プロモーションビデオに関連付けられる予め規定される情報を含む通信を前記健康管理専門家が受取ったという通知をコンピュータが受取ったことに応答して、前記コンピュータが、前記予め記録された健康管理プロモーションビデオの再生を開始することによって、前記健康管理プロモーションイベントを起動するステップと、
前記健康管理専門家が前記予め記録された健康管理プロモーションビデオを完全に見終わったという通知をコンピュータが受取ったことに応答して、前記コンピュータが、前記健康管理プロモーションイベントホストとのライブ通信を確立するステップとを備える、方法。
【請求項２】
コンピュータが認証管理資格情報を受信するステップと、
コンピュータが、前記認証管理資格情報に基づいて前記複数の健康管理専門家をフィルタ処理するステップと、
コンピュータが、前記認証管理資格情報に基づいて前記予め規定される健康管理プロモーションイベントをフィルタ処理するステップとをさらに備える、請求項１に記載の方法。
【請求項３】
コンピュータが、前記健康管理専門家が前記健康管理プロモーションイベントに参加したかどうかを示す通知を受信するステップと、
コンピュータが、前記健康管理専門家が前記健康管理プロモーションイベントに参加したかどうかを示すデータを記憶するステップとをさらに備える、請求項１に記載の方法。
【請求項４】
コンピュータが前記記憶されたデータに基づいてレポートを生成するステップをさらに備える、請求項３に記載の方法。
【請求項５】
コンピュータが前記健康管理プロモーションイベントに参加するよう招待を表現するデータを送信しなかった第２の健康管理専門家が前記健康管理プロモーションイベントに参加したという通知を、前記コンピュータが受信するステップと、
前記コンピュータが、前記第２の健康管理専門家が前記健康管理プロモーションイベントに参加したことを示すデータを記憶するステップとをさらに備える、請求項１に記載の方法。
【請求項６】
前記第２の健康管理専門家が前記複数の健康管理専門家の１人ではないと判断したことに応答して、前記コンピュータが、前記第２の健康管理専門家を表現するデータを記憶するステップをさらに備える、請求項５に記載の方法。
【請求項７】
前記コンピュータが前記健康管理プロモーションイベントホストとのライブ通信を確立するステップは、前記コンピュータが前記健康管理プロモーションイベントホストとビデオ会議セッションを確立するステップを備える、請求項１に記載の方法。
【請求項８】
健康管理プロモーションイベントを容易にするためのシステムであって、
ある健康管理プロモーションイベントと関連付けられる健康管理の重要なオピニオンリーダーとライブのビデオ会議を主催するよう構成されるハブコンピュータと、
少なくとも１つのプロセッサと、少なくとも１つのコンピュータ読取可能な有形の記憶装置と、前記少なくとも１つの記憶装置に記憶され前記少なくとも１つのプロセッサによる実行のためのプログラム命令とを含むスポークコンピュータとを備え、前記プログラム命令は、
ある健康管理専門家を前記健康管理プロモーションイベントと関連付けるよう構成される第１のプログラム命令と、
前記健康管理プロモーションイベントと関連付けられる健康管理プロモーションビデオの再生を開始するよう構成される第２のプログラム命令と、
前記ハブコンピュータを介して、前記健康管理の重要なオピニオンリーダーとの前記ライブのビデオ会議への接続を確立するよう構成される第３のプログラム命令と、
前記健康管理プロモーションイベントに関連付けられる前記健康管理専門家が前記健康管理プロモーションイベントに参加したことを証明するよう構成される第４のプログラム命令とを備える、健康管理プロモーションイベントを容易にするためのシステム。
【請求項９】
前記第４のプログラム命令は、さらに、
前記健康管理専門家が前記健康管理プロモーションビデオに関連付けられる情報を受取ったという第１の確認を受取り、
前記健康管理専門家が前記健康管理プロモーションビデオを完全に見終わったという第２の確認を受取り、
前記第１の確認および前記第２の確認を示すデータを記憶するよう構成される、請求項８に記載のシステム。
【請求項１０】
少なくとも１つのプロセッサと、少なくとも１つのコンピュータ読取可能な有形の記憶装置と、前記少なくとも１つの記憶装置に記憶され前記少なくとも１つのプロセッサによって実行するためのプログラム命令とを含む、第２のスポークコンピュータをさらに備え、前記プログラム命令は、
前記健康管理専門家から地理的に離れたさらなる健康管理専門家を前記健康管理プロモーションイベントに関連付けるよう構成される第５のプログラム命令と、
前記健康管理プロモーションイベントに関連付けられる前記健康管理プロモーションビデオの再生を開始するよう構成される第６のプログラム命令と、
前記ハブコンピュータを介して、前記健康管理の重要なオピニオンリーダーとの前記ライブのビデオ会議への第２の接続を確立するよう構成される第７のプログラム命令と、
前記健康管理プロモーションイベントに関連付けられる前記さらなる健康管理専門家が前記健康管理プロモーションイベントに参加したことを証明するよう構成される第８のプログラム命令とを備える、請求項８に記載のシステム。
【請求項１１】
健康管理専門家を表現するデータと、予め規定される健康管理プロモーションイベントを表現するデータと、健康管理プロモーションビデオとを記憶するよう構成されるストレージコンピュータをさらに備え、前記プログラム命令は、さらに、健康管理専門家を表現するデータ、予め規定される健康管理プロモーションイベントを表現するデータ、および健康管理プロモーションビデオを前記ストレージコンピュータと同期させるよう構成される第５のプログラム命令をさらに備える、請求項８に記載のシステム。
【請求項１２】
健康管理専門家とプロモーションイベントとの間の予め規定される関連付けを表現するデータを前記ストレージコンピュータと同期させるよう構成される第６のプログラム命令をさらに備える、請求項１１に記載のシステム。
【請求項１３】
認証管理資格情報を受取るよう構成される第７のプログラム命令をさらに備え、前記第６のプログラム命令は、前記受取られた認証管理資格情報に基づいて、健康管理専門家とプロモーションイベントとの間における予め規定される関連付けを表現するデータを前記ストレージコンピュータと同期させるよう構成される、請求項１２に記載のシステム。
【請求項１４】
前記スポークコンピュータは携帯可能なタブレットコンピュータである、請求項８に記載のシステム。
【請求項１５】
バーチャルのプロモーションイベントを容易にするためのコンピュータプログラム製品であって、
少なくとも１つのコンピュータ読取可能な有形の記憶装置と、前記少なくとも１つの記憶装置に記憶されるプログラム命令とを備え、前記プログラム命令は、
予め規定されるデータセットから選択されるある招待者に対して、複数の予め規定されるバーチャルのプロモーションイベントから選択されるあるバーチャルのプロモーションイベントに参加するよう、招待を表現するデータを送信するよう構成される第１のプログラム命令を備え、バーチャルのプロモーションイベントに参加することは、予め記録されたプロモーションビデオを見ること、およびバーチャルのプロモーションイベントホストとのライブ通信に参加することとを備え、前記プログラム命令はさらに、
前記バーチャルのプロモーションイベントに参加するという招待者の意思の確認を受取り、前記確認を受取ったことに応答して、招待者のステータスを招待されたステータスから確認されたステータスに変更するよう構成される第２のプログラム命令と、
前記確認された招待者が前記プロモーションビデオに関連付けられる予め規定される情報を備える通信を受取ったという通知を受け、それに応答して、前記予め記録されたプロモーションビデオの再生を開始することによって前記バーチャルのプロモーションイベントを起動するよう構成される第３のプログラム命令と、
前記確認された招待者が前記予め記録されたプロモーションビデオを完全に見終わったという通知を受け、それに応答して、前記バーチャルのプロモーションイベントホストとの通信を確立するよう構成される第４のプログラム命令とを備える、コンピュータプログラム製品。
【請求項１６】
前記プログラム命令はさらに、
認証管理資格情報を受取るよう構成される第６のプログラム命令と、
前記認証管理資格情報に基づいて前記データセットをフィルタ処理するよう構成される第７のプログラム命令と、
前記認証管理資格情報に基づいて前記複数の予め規定されるバーチャルのプロモーションイベントをフィルタ処理するよう構成される第８のプログラム命令とをさらに備える、請求項１５に記載のコンピュータプログラム製品。
【請求項１７】
前記プログラム命令はさらに、
前記確認された招待者が前記バーチャルのプロモーションイベントに参加したかどうかを示す通知を受取るよう構成される第６のプログラム命令と、
非招待客が前記バーチャルのプロモーションイベントに参加したことを示すデータを記憶するよう構成される第７のプログラム命令とをさらに備える、請求項１５に記載のコンピュータプログラム製品。
【請求項１８】
前記プログラム命令はさらに、
前記バーチャルのプロモーションイベントに参加するよう招待を表現するデータが送信されなかった非招待客が、前記バーチャルのプロモーションイベントに参加したという通知を受取るよう構成される第６のプログラム命令と、
前記非招待客のステータスを、前記非招待客が前記バーチャルのプロモーションイベントに参加したことを示すステータスに変更するよう構成される第７のプログラム命令とをさらに備える、請求項１５に記載のコンピュータプログラム製品。
【請求項１９】
前記プログラム命令は、さらに、前記非招待客が前記データセットに含まれていないと判断したことに応答して、前記非招待客を表現するデータを記憶するよう構成される第８のプログラム命令を備える、請求項１８に記載のコンピュータプログラム製品。
【請求項２０】
前記バーチャルのプロモーションイベントホストと通信を確立するよう構成される第４のプログラム命令は、さらに、前記バーチャルのプロモーションイベントホストとビデオ会議セッションを確立するよう構成される、請求項１５に記載のコンピュータプログラム製品。